(57)【要約】【課題】ＬＮＧサテライト設備の定期点検中においても需要家等に燃料ガス（ＬＮＧ）を供給することができるようにする。【解決手段】ＬＮＧサテライト設備１０は、タンクローリー１１からＬＮＧをＬＮＧ貯槽１３に受け入れ、ＬＮＧ貯槽に蓄えられたＬＮＧを燃料ガスとして払い出して燃料ガス供給先設備に与える。少なくとも、ＬＮＧ貯槽とＬＮＧをガス化する気化器１６，１７とを繋ぐ第１の払出ライン１５に配置された制御弁、ＬＮＧ貯槽に繋がれたベントライン１８に備えられた制御弁及び気化器の出力ラインである第２の払出ライン２２に備えられた制御弁をそれぞれ二重化して、制御弁の点検の際、制御弁を選択的に切り替える。【選択図】図２
2009115178.tif 000002
【特許請求の範囲】
【請求項１】
タンクローリーに備えられたタンクから液化天然ガスを液化天然ガス貯槽に受け入れ、該液化天然ガス貯槽に蓄えられた前記液化天然ガスを燃料ガスとして払い出して燃料ガス供給先設備に与える液化天然ガスサテライト設備であって、
少なくとも、前記液化天然ガス貯槽と前記液化天然ガスをガス化する気化器とを繋ぐ第１の払出ラインに配置された制御弁及び安全弁、前記液化天然ガス貯槽に繋がれたベントラインに備えられたＬＮＧ貯槽用安全弁、並びに、前記気化器の出力ラインである第２の払出ラインに備えられた制御弁及び安全弁をそれぞれ二重化して、前記制御弁の点検の際前記制御弁を選択的に切り替えるようにしたことを特徴とする液化天然ガスサテライト設備。
【請求項２】
前記二重化された第１の制御弁は、それぞれ、並列に配置されており、前記二重化された第２の制御弁は、それぞれ、並列に配置されていることを特徴とする請求項１記載の液化天然ガスサテライト設備。
【請求項３】
前記液化天然ガス貯槽と前記液化天然ガスをガス化する気化器とを繋ぐ第１の払出ラインに配置された制御弁として遮断弁及び安全弁が用いられ、
前記液化天然ガス貯槽に繋がれたベントラインに備えられた制御弁として安全弁が用いられ、
前記気化器の出力ラインである第２の払出ラインに備えられた制御弁として安全弁及び圧力調整弁が用いられることを特徴とする請求項１又は２記載の液化天然ガスサテライト設備。
【請求項４】
前記第１の払出ラインは並列に配置された第１及び第２の払出ラインに二重化されており、前記第１及び前記第２の払出ラインを選択的に切り替えるようにしたことを特徴とする請求項１記載の液化天然ガスサテライト設備。
【請求項５】
前記液化天然ガス貯槽と前記液化天然ガスをガス化する気化器とを繋ぐ第１の払出ラインに配置された制御弁として第１の遮断弁と第２の遮断弁と第２の安全弁と第３の安全弁とが用いられ、
前記液化天然ガス貯槽に繋がれたベントラインに備えられた制御弁として２つの安全弁が用いられ、
前記気化器の出力ラインである第２の払出ラインに備えられた制御弁として２つの安全弁及び２つの圧力調整弁が用いられており、
前記第１の払出ラインに前記第１の遮断弁と前記第２の安全弁が備えられ、前記第２の払出ラインに前記第２の遮断弁及び前記第３の安全弁が備えられていることを特徴とする請求項４記載の液化天然ガスサテライト設備。
【発明の詳細な説明】
【技術分野】
【０００１】
本発明は、液化天然ガス（ＬＮＧ）貯槽（貯蔵タンク）を備え、当該ＬＮＧ貯槽からＬＮＧを燃料ガスとして需要家に供給するためのＬＮＧサテライト設備に関する。
【背景技術】
【０００２】
一般に、地方都市等においては需要家にＬＮＧを燃料ガス供給するため、所謂ＬＮＧサテライト設備（サテライト基地）が配置されており、このＬＮＧサテライト設備には、ＬＮＧを貯蔵するＬＮＧ貯槽（ＬＮＧ貯蔵タンク）が設けられ、ＬＮＧ貯槽に貯蔵されたＬＮＧを気化器によって気化して、燃料ガスとして需要家に供給するようにしている。そして、ＬＮＧサテライト設備（つまり、ＬＮＧ貯槽）には、定期的にタンクローリーによってＬＮＧが補給される。そして、ＬＮＧ貯槽に貯えられたＬＮＧは気化されて、燃料ガスとして需要家等に供給される。
【０００３】
このようなＬＮＧサテライト設備においては、ローリータンク（タンクローリーのタンク）から受入れラインを介して液化天然ガスをＬＮＧ貯槽に受入れている。そして、このＬＮＧ貯槽から熱交換器（気化器）を介してボイラー、ガスタービン等の需要家設備に燃料払出しラインが連通している。さらに、ＬＮＧサテライト設備には、受入れラインから分岐して、燃料払出しラインの熱交換器の上流側に連通して、ＬＮＧ貯槽へのＬＮＧの供給と並行して燃料払出しラインにＬＮＧを熱交換器を介して送出する燃料払出しサブラインと、ローリータンク及びＬＮＧ貯槽から排出されるガスを熱交換器を介して燃料払出ラインに送出するラインが備えられている（例えば、特許文献１参照）。
【０００４】
前述のように、タンクローリーからＬＮＧサテライト設備にＬＮＧを受け入れる際には、例えば、フレキシブルホースによってＬＮＧサテライト設備とタンクローリーとを接続して、タンクローリーからＬＮＧ貯槽にＬＮＧを受け入れ、ＬＮＧ貯槽から燃料ガス（ＬＮＧ）を需要家設備に供給することになるが、ＬＮＧサテライト設備には各種バルブ（弁）等が備えられている関係上、これらバルブ等を定期的に点検を行う必要がある。
【０００５】
上述の定期点検には、代表的なものとして電気事業法に基づく法令点検と、高圧ガス保安法に基づく法令点検とがあり、ＬＮＧサテライト設備毎に電気事業法による定期点検又は高圧ガス保安法に基づく定期点検を行う必要がある。なお、電気事業法による法令点検は１回／２年毎に行う必要があり、特に各種バルブの点検を行う。また、高圧ガス保安法に基づく法令点検は１回／１年毎に行う必要があり、特に、各種バルブ及び配管の点検を行う。
【特許文献１】特開２００２−５４７９６号公報
【発明の開示】
【発明が解決しようとする課題】
【０００６】
ところで、上述の定期点検を行う際には、一般にＬＮＧサテライト設備を停止する必要があり、ＬＮＧサテライト設備の運用が停止されると、当然のことながら、ＬＮＧサテライト設備から需要家等に対する燃料ガスの供給も停止される。定期点検に要する期間は、ＬＮＧサテライト設備の規模等によって異なるが、通常１週間〜１ヶ月程度であり、この期間、需要家等は燃料ガスの提供を受けることができず、ボイラー・ガスタービン等の燃料ガス供給先設備を停止するか又は代替燃料を確保する必要がある。
【０００７】
上述のように、燃料ガス供給先設備の停止を行うことは困難であることも多く、そして、燃料ガス供給先設備を停止してしまうと、その間生産に支障が生じてしまう。一方、代替燃料を確保するとなると、１年又は２年の間に１週間〜１ヶ月程度の停止にも関わらず、代替燃料の供給を受けるための設備をバックアップとして備えなければならず、その設備負担が過度となってしまう。
【０００８】
いずれにしても、ＬＮＧサテライト設備の定期点検中においては、需要家等の生産性が低下してしまうという課題がある。
【０００９】
従って、本発明は、ＬＮＧサテライト設備の定期点検中においても需要家等に燃料ガス（ＬＮＧ）を供給することのできるＬＮＧサテライト設備を提供することを目的とする。
【課題を解決するための手段】
【００１０】
（１）  本発明は、タンクローリーに備えられたタンクから液化天然ガスを液化天然ガス貯槽に受け入れ、該液化天然ガス貯槽に蓄えられた前記液化天然ガスを燃料ガスとして払い出して燃料ガス供給先設備に与える液化天然ガスサテライト設備であって、少なくとも、前記液化天然ガス貯槽と前記液化天然ガスをガス化する気化器とを繋ぐ第１の払出ラインに配置された安全弁及び制御弁、前記気化器の出力ラインである第２の払出ラインに備えられた安全弁及び制御弁をそれぞれ二重化して、前記制御弁の点検の際前記制御弁を選択的に切り替えるようにしたことを特徴とするものである。
【００１１】
（１）に記載の液化天然ガスサテライト設備では、第１の払出ライン、ベントライン及び第２の払出ラインに備えられた制御弁を二重化しているので、定期点検等を行う際、制御弁を切り替えれば、需要家（燃料ガス供給先設備）に対して燃料ガスを供給しつつ、制御弁の点検を行うことができる。つまり、液化天然ガスサテライト設備の運用を停止することなく、制御弁の点検を行うことができる。
【００１２】
（２）  本発明は、（１）に記載の液化天然ガスサテライト設備において、前記二重化された制御弁はそれぞれ並列に配置されていることを特徴とするものである。
【００１３】
（２）に記載の液化天然ガスサテライト設備では、制御弁を並列に配置するようにしたので、制御弁を選択的に切り替える際、制御弁の切り替え操作が容易であるという効果がある。
【００１４】
（３）  本発明は、（１）又は（２）に記載の液化天然ガスサテライト設備において、前記液化天然ガス貯槽と前記液化天然ガスをガス化する気化器とを繋ぐ第１の払出ラインに配置された制御弁として遮断弁及び安全弁が用いられ、前記液化天然ガス貯槽に繋がれたベントラインに備えられた制御弁として安全弁が用いられ、前記気化器の出力ラインである第２の払出ラインに備えられた制御弁として安全弁及び圧力調整弁が用いられることを特徴とするものである。
【００１５】
（３）に記載の液化天然ガスサテライト設備では、安全弁、遮断弁及び圧力調整弁が二重化されているので、電気事業法に基づく定期点検を行いつつ、燃料ガスの供給を行うことができる。
【００１６】
（４）  本発明は、（１）に記載の液化天然ガスサテライト設備において、前記第１の払出ラインは並列に配置された第１及び第２の払出ラインに二重化されており、前記第１及び前記第２の払出ラインを選択的に切り替えるようにしたことを特徴とするものである。
【００１７】
（４）に記載の液化天然ガスサテライト設備では、第１の払出ラインを、並列に配置された第１及び第２の払出ラインに二重化するようにしたので、高圧ガス保安法に基づく配管の点検を行いつつ、燃料ガスの供給を行うことができる。
【００１８】
（５）  本発明は、（４）に記載の液化天然ガスサテライト設備において、前記液化天然ガス貯槽と前記液化天然ガスをガス化する気化器とを繋ぐ第１の払出ラインに配置された制御弁として第１及び第２の遮断弁と第２及び第３の安全弁とが用いられ、前記液化天然ガス貯槽に繋がれたベントラインに備えられた制御弁として安全弁が用いられ、前記気化器の出力ラインである第２の払出ラインに備えられた制御弁として安全弁及び圧力調整弁が用いられており、前記第１の払出ラインに前記第１の遮断弁と前記第２の安全弁が備えられ、前記第２の払出ラインに前記第２の遮断弁及び前記第３の安全弁が備えられていることを特徴とするものである。
【００１９】
（５）に記載の液化天然ガスサテライト設備では、第１の払出ラインに配置された制御弁として第１及び第２の遮断弁と第２及び第３の安全弁とを用いて、第１の払出ラインに第１の遮断弁と第２の安全弁を備え、第２の払出ラインに第２の遮断弁及び第３の安全弁を備えるようにしたので、第１及び第２の払出ラインを切り替えれば、遮断弁及び安全弁の切り替えを行うことができ、その結果、配管の点検と遮断弁及び安全弁の点検とを同時に行うことができる。
【発明の効果】
【００２０】
以上のように、本発明によれば、少なくとも、液化天然ガス貯槽と液化天然ガスをガス化する気化器とを繋ぐ第１の払出ラインに配置された制御弁、液化天然ガス貯槽に繋がれたベントラインに備えられた制御弁及び気化器の出力ラインである第２の払出ラインに備えられた制御弁をそれぞれ二重化し、制御弁の点検の際制御弁を選択的に切り替えるようにしたので、液化天然ガスサテライト設備の運用を行いつつ、定期点検等の点検を実施することができるという効果がある。
【発明を実施するための最良の形態】
【００２１】
以下、本発明の実施形態について図面を参照して説明する。図１は本発明の実施の形態によるＬＮＧサテライト設備の一例の外観を部分的に示す図であり、図２は図１に示すＬＮＧサテライト設備の配管系統の主要部分を示す系統図である。
【００２２】
図１においては、ＬＮＧサテライト設備１０には、一般的に、タンクローリー１１が入庫する建屋（車庫）１２が備えられており、この建屋１２の後方には、ＬＮＧ貯槽１３が配置されている。図示のように、ＬＮＧ貯槽１３から建屋１２には受入ライン（配管）１４が敷設されており、タンクローリー１１のタンク（ローリータンク）１１ａからＬＮＧ貯槽１３にＬＮＧを受け入れる際には、フレキシブルホース２４（図２参照）等によって、受入ライン１４とローリータンク１１ａとを接続し、後述するようにして、ローリータンク１１ａからＬＮＧ貯槽１３へのＬＮＧの受入を行う。
【００２３】
図２を参照すると、前述のように、ＬＮＧサテライト設備１０は、ローリータンク１１ａからＬＮＧを受入れ、受け入れたＬＮＧを燃料ガスとして払出すＬＮＧ貯槽１３を備えている。ＬＮＧ貯槽１３にはローリータンク１１ａからＬＮＧを受け入れるための配管である受入ライン１４が接続され、この受入ライン１４には第１の安全弁１４ａが備えられている。
【００２４】
図２のＬＮＧサテライト設備１０には第１及び第２の熱交換器（気化器）１６及び１７が備えられ、第１の熱交換器１６は第１〜第４の熱交換コイル１６ａ〜１６ｄを有している。同様に、第２の熱交換器１７は第５〜第８の熱交換コイル１７ａ〜１７ｄを有している。なお、第１及び第２の熱交換器が有する熱交換コイルの数は、４つに限定されず、３つ以下でもよいし、５つ以上であってもよい。
【００２５】
ＬＮＧ貯槽１３の下部には配管である払出ライン１５が接続され、この払出ライン１５は第１及び第２の熱交換コイル１６ａ及び１６ｂと第５及び第６の熱交換コイル１７ａ及び１７ｂとに接続されている。図示のように、払出ライン１５には第１の遮断弁１５ａが設けられ、さらに、この第１の遮断弁１５ａに並列に第２の遮断弁１５ｂが設けられている。また、第１及び第２の遮断弁１５ａ及び１５ｂの後段には、第２及び第３の安全弁１５ｃ及び１５ｄが払出ライン１５から分岐して並列状態で配置されている。
【００２６】
なお、図２には示されていないが、第１及び第２の遮断弁１５ａ及び１５ｂの入口側及び出口側にはそれぞれ開閉弁が設けられている。同様に、第２及び第３の安全弁１５ｃ及び１５ｄの入口側にも開閉弁が設けられている。
【００２７】
また、図示のように、ＬＮＧ貯槽１３の上部には配管であるベントライン１８が接続され、このベントライン１８は第３及び第７の熱交換コイル１６ｃ及び１７ｃに接続されている。ベントライン１８には第１の圧力調整弁１８ａが設けられ、さらに、第１の圧力調整弁１８ａの前段には第４及び第５の安全弁１８ｂ及び１８ｃがベントライン１８から分岐して並列状態で配置されている。第４及び第５の安全弁１８ｂ及び１８ｃの入口側には開閉弁が設けられている。第１及び第５の熱交換コイル１６ａ及び１７ａは配管である帰還ライン１９によって、第４及び第５の安全弁１８ｂ及び１８ｃと第１の圧力調整弁１８ａとの間において、ベントライン１８に接続されている。なお、この帰還ライン１９には安全弁１９ａ及び圧力調整弁１９ｂが備えられている。
【００２８】
ＬＮＧサテライト設備１０は配管である加圧ライン２０及び２１を有し、加圧ライン２０は第４及び第８の熱交換コイル１６ｄ及び１７ｄに接続され、第４及び第８の熱交換コイル１６ｄ及び１７ｄは加圧ライン２１に接続されている。加圧ライン２１には第２の圧力調整弁２１ａが設けられ、第２の圧力調整弁２１ａの前段及び後段にはそれぞれ第６及び第７の安全弁２１ｂ及び２１ｃが備えられている。
【００２９】
図示のように、第２及び第６の熱交換コイル１６ｂ及び１７ｂは払出ライン２２によってボイラー又はガスタービン等の燃料ガス供給先設備（図示せず）に接続され、この払出ライン２２によって燃料ガス供給先設備に燃料ガスが供給される。一方、第３及び第７の熱交換コイル１６ｃ及び１７ｃはベントライン２３によって払出ライン２２及びベントスタックに接続されている。
【００３０】
払出ライン２２には第８及び第９の安全弁２２ａ及び２２ｂが払出ライン２２から分岐して並列状態で配置されている（第８及び第９の安全弁２２ａ及び２２ｂの入口側には開閉弁が設けられている）。さらに、第８及び第９の安全弁２２ａ及び２２ｂの後段において、払出ライン２２には第３の圧力調整弁２２ｃが設けられ、さらに、この第３の圧力調整弁２２ｃに並列に第４の圧力調整弁２２ｄが設けられている。
【００３１】
第１及び第５の熱交換コイル１６ａ及び１７ａは配管である帰還ライン１９によって、第４及び第５の安全弁１８ｂ及び１８ｃと第１の圧力調整弁１８ａとの間において、ベントライン１８に接続されている。なお、第３及び第４の圧力調整弁２２ｃ及び２２ｄの入口側及び出口側にはそれぞれ開閉弁が設けられている。
【００３２】
ベントライン２３には第１０の安全弁２３ａが設けられており、この第１０の安全弁２３ａの出口側は、図示のように、ベントライン２３に帰還されている。また、前述の第１〜第９の安全弁の出口側も同様にベントライン２３に帰還される。さらに、ベントライン２３は第１０の安全弁２３ａの後段において、払出ライン２２に接続されている（第３及び第４の圧力調整弁２２ｃ及び２２ｄの後段において払出ライン２２に接続されている）。
【００３３】
ローリータンク１１ａからＬＮＧ貯槽１３にＬＮＧを受け入れる際には、受入ライン１４、加圧ライン２０及び２１がフレキシブルホース２４によってローリータンク１１ａに連結される。その後、図示はしないが、窒素供給ラインから受入ライン１４、加圧ライン２０及び２１に窒素ガスが供給され、ベントライン１８から排出を行って受入ライン１４、加圧ライン２０及び２１の空気を窒素ガスで置換する。
【００３４】
続いて、ベントスタック（図示せず）に接続されたラインから受入ライン１４、加圧ライン２０及び２１の窒素ガスを排出して窒素ガスを天然ガスで置換する。図示しない開閉弁を開いて受入ライン１４によってローリータンク１１ａとＬＮＧ貯槽１３とを連通状態とした後、加圧ライン２０及び２１によってローリータンク１１ａと第１及び第２の熱交換器１６及び１７とを連通させて、ＬＮＧを気化させてローリータンク１１ａ内圧力を上昇させる。そして、ローリータンク１１ａ内圧力とＬＮＧ貯槽１３内圧力との圧力差に応じて、受入ライン１４によってローリータンク１１ａからＬＮＧ貯槽１３にＬＮＧを移送する。
【００３５】
ローリータンク１１ａからＬＮＧ貯槽１３へのＬＮＧの移送が終了すると、ローリータンク１１ａ内の脱圧を行い、続いて、窒素ガス供給ラインから受入ライン１４、加圧ライン２０及び２１に窒素ガスを供給し、ベントスタック（図示せず）に接続されたラインから排出して受入ライン１４、加圧ライン２０及び２１の天然ガスを窒素ガスで置換する。このようにして、上述のようにして、定期的にタンクローリー１１からＬＮＧ貯槽１３にＬＮＧが補給される。
【００３６】
一方、通常の場合に、ＬＮＧ貯槽１３から燃料ガス供給先設備にＬＮＧを燃料として供給する際には、第１の遮断弁１５ａを用いて払出ライン１５を介して第１及び第２の熱交換器１６及び１７にＬＮＧ貯槽１３からＬＮＧが与えられる。つまり、第１の遮断弁１５ａの入口側及び出口側にある開閉弁が開かれ、第２の遮断弁１５ｂの入口側及び出口側にある開閉弁のいずれか一方が閉じられることになる。さらに、第２の安全弁１５ｃの入口側にある開閉弁が開かれ、第３の安全弁１５ｄの入口側にある開閉弁が閉じられる。
【００３７】
同様にして、第４の安全弁１８ｂの入口側にある開閉弁が開かれ、第５の安全弁１８ｃの入口側にある開閉弁が閉じられる。また、第８の安全弁２２ａの入口側にある開閉弁が開かれ、第９の安全弁２２ｂの入口側にある開閉弁が閉じられる。そして、第３の圧力調整弁２２ｃの入口側及び出口側にある開閉弁が開かれ、第４の圧力調整弁２２ｄの入口側及び出口側にある開閉弁のいずれか一方が閉じられる。
【００３８】
この結果、ＬＮＧ貯槽１３からのＬＮＧは第１及び第２の熱交換器１６及び１７で気化されてガス化され、第３の圧力調整弁２２ｃを介して燃料ガス供給先設備に払い出されることになる。
【００３９】
図３は、第１の遮断弁１５ａ及び第２の遮断弁１５ｂの入口側及び出口側に設けられた開閉弁２５ａ〜２５ｄの配置を示す斜視図であり、開閉弁２５ａ〜２５ｄを開閉操作する際には、ハンドル２６ａ〜２６ｄを手動で操作して、開閉弁２５ａ〜２５ｄを開閉する。なお、他の開閉弁も同様に手動で操作することになるが、現場操作盤（図示せず）の操作に応じて、電動で開閉弁を開閉制御するようにしてもよい。
【００４０】
ところで、電気事業法によるＬＮＧサテライト設備における法令必須点検項目は、法に定める条件に該当する安全弁の動作確認、ガス検知器の動作確認である。また、図２に示すＬＮＧサテライト設備１０における主要機器は、ＬＮＧ貯槽１３、ＬＮＧ気化器（第１及び第２の熱交換器１６及び１７）、ＬＮＧ貯槽払出遮断弁及び燃焼ガス調整弁であるから、前述のように遮断弁、圧力調整弁及び安全弁等の二重化を行って、定期点検等の際の停止を回避した。
【００４１】
つまり、電気事業法による定期点検等において、第１の遮断弁１５ａ、第４の安全弁１８ｂ、第２の安全弁１５ｃ、第８の安全弁２２ａ及び第３の圧力調整弁２２ｃを点検する際には、前述した開閉弁の開閉操作を行って、第１の遮断弁１５ａへの通路を閉じて第１の遮断弁１５ａをバイパスし、第２の遮断弁１５ｂへの通路を開く。
【００４２】
同様に、第４の安全弁１８ｂへの通路を閉じ、第５の安全弁１８ｃへの通路を開き、第２の安全弁１５ｃへの通路を閉じ、第３の安全弁１５ｄへの通路を開く。そして、第８の安全弁２２ａへの通路を閉じ、第９の安全弁２２ｂへの通路を開き、第３の圧力調整弁２２ｃへの通路を閉じて第３の圧力調整弁２２ｃをバイパスし、第４の圧力調整弁２２ｄへの通路を開く。
【００４３】
このようにして、点検すべき弁を配管経路から実質的に切り離して、これら点検すべき弁に対して予備となる弁を配管系に連結するようにしたので、弁の定期点検の際に、ＬＮＧサテライト設備からのＬＮＧの払出を停止することなく、弁の点検を行うことができる。つまり、ＬＮＧサテライト設備の定期点検中においても需要家等に燃料ガス（ＬＮＧ）を供給することができる。
【００４４】
ＬＮＧ貯槽１３のＬＮＧ貯蔵量をピーク使用量と数日分程度としておけば、その間、タンクローリー１１からＬＮＧ貯槽１３へのＬＮＧの受入を行う必要がないから、その間に受入系統の機器の点検を実施するようにすればよい。なお、上述の安全弁、遮断弁及び圧力調整弁は集合的に制御弁と呼んでもよい。
【００４５】
図２に示す例では、電気事業法による定期点検に当たって、ＬＮＧサテライト設備の運用を停止することなく、定期点検を行える例について説明したが、高圧ガス保安法によるＬＮＧサテライト設備における法令必須点検項目は、安全弁の動作確認、ガス検知器の動作確認、ＬＮＧ貯槽１３から熱交換器（ＬＮＧ気化器）を含む配管の肉厚検査、ＬＮＧ貯槽払出遮断弁の動作確認である。
【００４６】
また、ＬＮＧサテライト設備１０における主要機器は、ＬＮＧ貯槽１３、ＬＮＧ気化器（第１及び第２の熱交換器１６及び１７）及び燃焼ガス調整弁であるから、後述のようにＬＮＧ気化器、遮断弁、圧力調整弁及び安全弁等の二重化とＬＮＧ貯槽１３から熱交換器（ＬＮＧ気化器）に至る配管の二重化を行って、高圧ガス保安法による定期点検等の際のＬＮＧサテライト設備の運用停止を回避した。
【００４７】
図４は、高圧ガス保安法による定期点検等の際に運用停止を回避するためのＬＮＧサテライト設備の一例を示す系統図であり、図４において図２に示す構成要素と同一の構成要素については同一の参照番号を付し、説明を省略する。なお、図示の例では、図２に示すＬＮＧサテライト設備１０と異なり、３台の熱交換器が備えられており（新たな熱交換器を第３の熱交換器と呼ぶ）、ＬＮＧサテライト設備に符号３０を付す。
【００４８】
図４において、受入ライン１４は第４及び第５の圧力調整弁３２ａ及び３２ｂを介してＬＮＧ貯槽１３の上部及び下部に接続されている。図示の例ではＬＮＧサテライト設備３０は第１及び第２の熱交換器１６及び１７に加えて、第３の熱交換器３１を有し、第３の熱交換器３１は第９〜第１２の熱交換コイル３１ａ〜３１ｄを有している。
【００４９】
ＬＮＧ貯槽１３の下部に接続された払出ライン１５は第１及び第２の払出ライン３３ａ及び３３ｂに分岐され、払出ライン１５は配管経路が二重化されている。そして、第１の払出ライン３３ａには前述の第１の遮断弁１５ａ及び第２の安全弁１５ｃが備えられ、第２の払出ライン３３ｂには第２の遮断弁１５ｂ及び第３の安全弁１５ｄが備えられている。なお、ここでは、第１及び第２の払出ライン３３ａ及び３３ｂの入口側及び出口側にそれぞれ開閉弁が設けられている。
【００５０】
払出ライン１５、つまり、第１及び第２の払出ライン３３ａ及び３３ｂは第１及び第２の熱交換コイル１６ａ及び１６ｂと第５及び第６の熱交換コイル１７ａ及び１７ｂとに接続されるとともに、第９及び第１０の熱交換コイル３１ａ及び３１ｂに接続されている。また、図示のように、ベントライン１８は第３及び第７の熱交換コイル１６ｃ及び１７ｃに接続されているとともに、第１１の熱交換コイル３１ｃに接続されている。
【００５１】
さらに、第１及び第５の熱交換コイル１６ａ及び１７ａが帰還ライン１９によって、ベントライン１８に接続されるとともに、第９の熱交換コイル３１ａがベントライン１８に接続されている。そして、加圧ライン２０が第４、第８及び第１２の熱交換コイル１６ｄ、１７ｄ及び３１ｄに接続され、第４、第８及び第１２の熱交換コイル１６ｄ、１７ｄ及び３１ｄが加圧ライン２１に接続されている。
【００５２】
図示のように、第２、第６及び第１０の熱交換コイル１６ｂ、１７ｂ及び３１ｂは払出ライン２２によって燃料ガス供給先設備（図示せず）に接続され、この払出ライン２２によって燃料ガス供給先設備に燃料ガスが供給される。一方、第３、第７及び第１１の熱交換コイル１６ｃ、１７ｃ及び３１ｃはベントライン２３によって燃料払出ライン２２及びベントスタックに接続されている。
【００５３】
図４に示すＬＮＧサテライト設備３０においては、通常の場合、ＬＮＧ貯槽１３から燃料ガス供給先設備にＬＮＧを燃料として供給する際には、第１の払出ライン３３ａを用いて第１の払出ライン３３ａを介して第１、第２及び第３の熱交換器１６、１７及び３１にＬＮＧ貯槽１３からＬＮＧが供給される。つまり、第１の払出ライン３３ａの入口側及び出口側にある開閉弁が開かれ、第２の払出ライン３３ｂの入口側及び出口側にある開閉弁のどちらか一方が閉じられることになる。
【００５４】
これによって、ＬＮＧ貯槽１３からのＬＮＧは、第１、第２及び第３の熱交換器１６、１７及び３１のいずれか一基で気化されてガス化され、第３の圧力調整弁２２ｃを介して燃料ガス供給先設備に払い出されることになる。なお、安全弁及び圧力調整弁等の切り替えは図２で説明したとおりである。
【００５５】
高圧ガス保安法による定期点検等を行う際には、ＬＮＧ貯槽１３から第１〜第３の熱交換器（ＬＮＧ気化器）を含む配管の肉厚検査が新たに加わる。このため、図２に関連して説明したように、安全弁及び圧力調整弁の切り替えを行うとともに、第１の払出ライン３３ａを開閉弁によって閉じ、第２の払出ライン３３ｂを開閉弁によって開いて、ＬＮＧ貯槽１３から第２の払出ライン３３ｂを介してＬＮＧ気化器にＬＮＧを送り出す。これによって、第１の払出ライン３３ａの点検を行うとともに、第１の遮断弁１５ａ及び第２の安全弁１５ｃの点検を行う。
【００５６】
このようにして、点検すべき弁を配管経路から実質的に切り離して、これら点検すべき弁に対して予備となる弁を配管系に連結し、さらに、点検すべき配管に対して予備となる配管を介してＬＮＧを移送するようにしたので、気化器、配管及び弁の定期点検の際に、ＬＮＧサテライト設備からのＬＮＧの払出を停止することなく、気化器、配管及び弁の点検を行うことができる。つまり、ＬＮＧサテライト設備の定期点検中においても需要家等に燃料ガス（ＬＮＧ）を供給することができる。なお、ＬＮＧ貯槽１３のＬＮＧ貯蔵量をピーク使用量と数日分程度としておけば、その間、タンクローリー１１からＬＮＧ貯槽１３へのＬＮＧの受入を行う必要がないから、その間に受入系統の機器の点検を実施するようにすればよい。
【図面の簡単な説明】
【００５７】
【図１】本発明の実施の形態によるＬＮＧサテライト設備の一例の外観を部分的に示す図である。
【図２】本発明の実施の形態によるＬＮＧサテライト設備の配管系統の主要部分の一例を示す系統図である。
【図３】本発明の実施の形態によるＬＮＧサテライト設備において遮断弁の入口側及び出口側に設けられた開閉弁の配置の一例を示す斜視図である。
【図４】本発明の実施の形態によるＬＮＧサテライト設備の配管系統の主要部分の他の例を示す系統図である。
【符号の説明】
【００５８】
１０，３０  ＬＮＧサテライト設備
１１  タンクローリー
１３  ＬＮＧ貯槽
１４  受入ライン
１５  払出ライン（第１の払出ライン）
１６，１７，３１  熱交換器（気化器）
１８，２３  ベントライン
１９  帰還ライン
２０，２１  加圧ライン
２２  払出ライン（第２の払出ライン）
【図１】
2009115178.tif 000003
【図２】
2009115178.tif 000004
【図３】
2009115178.tif 000005
【図４】
2009115178.tif 000006